(57)【要約】      （修正有）【課題】自身の手足の関節等の強張りの程度と比較することにより、強張りを定量的に測定できるツールを提供する。【解決手段】定量測定すべき強張りの程度を段階付けして表現するためのツールであって、段階に相当する柱状体２１〜２７により構成されている。曲がっていない柱状体２１と、少し曲がりのある柱状体２２と、さらに順番に曲がりが大きくなっている複数の柱状体２３〜２７とを含む。曲がっていない柱状体２１が強張りの程度が最も強いことを示す。最も曲がりが大きい柱状体２７は強張りの程度が最も低いことを示す。それ以外の柱状体２２〜２６は強張りの程度がその間にあることを示す。外観から直感的に強張りの程度を定量的に示すことができる。【選択図】図１
0003189984.tif 000002
【実用新案登録請求の範囲】
【請求項１】
定量測定すべき強張りの程度を段階付けして表現するためのものであって、上記段階数に相当する柱状体により構成されており、曲がっていない柱状体と、少し曲がりのある柱状体と、さらに順番に曲がりが大きくなっている複数の柱状体とを含み、曲がっていない柱状体が強張りの程度が最も強いことを示すもので、最も曲がりが大きい柱状体は強張りの程度が最も低いことを示すもので、それ以外の柱状体は強張りの程度がその間にあることを示すものであることを特徴とする強張りの程度の定量測定具。
【請求項２】
ブロック群を構成する全ての柱状体は、柔軟なゴムまたはプラスチックにより構成されたことを特徴とする請求項１に記載の強張りの程度の定量測定具。
【請求項３】
全ての柱状体が強張りを表示するための段階順に配列されて、連結体により一体化固定されていることを特徴とする請求項１または２に記載の強張りの程度の定量測定具。
【考案の詳細な説明】
【技術分野】
【０００１】
本考案は、手足の関節等を治療中に、その強張りの程度を客観的に定量的に観察するために使用する強張りの程度の定量測定具に関する。
【背景技術】
【０００２】
例えば、手足の骨折等が原因で一定期間関節を固定しておくと、筋肉の委縮や関節の拘縮といった現象が生じる。そのために、筋肉を増やしたり関節の動きをよくしたりするためのリハビリが行われる。リハビリ中には、関節の曲げ伸ばし運動をしながら、少しずつ大きく曲げられるようにマッサージ等の施術が行なわれる。また、リューマチの患者には、手等の関節に強張りの症状が発生し、その状態が常に変動する。
このとき、医師は患者の強張りの状態を患者に尋ねながら治療をすすめることが好ましい。問診により状態の変化をとらえることが可能であるが、一歩進んで定量的な変化を記録することができれば、その後の治療や他の患者の治療に役立てることができる。
この強張りの程度を数値的に示すのは容易でない。強張りの程度を言葉で表現することができる人もいれば、うまく表現できない人もいる。特に子供の場合にはこれが難しい。なお、用途が異なるが、本考案者は、子供が玩具のように扱って楽しみながら自分の気持ちを人に伝えることができるツールを開発して、定量的な把握を可能にした（特許文献１参照）。
【先行技術文献】
【特許文献】
【０００３】
【特許文献１】特許第５０７８１８８号公報
【考案の概要】
【考案が解決しようとする課題】
【０００４】
上記の特許文献１では、積み木に形成した窓の大きさで心理量を測定した。しかしながら、これを強張りの程度の測定に利用しても、必ずしも適切な成果は得られなかった。積み木の形と強張りの関係が感覚的に対応させられないためと考えられる。
本考案は、成人はもとより、未就学児や幼児等にも強張りの程度を的確に表現させることができる定量測定具を提供することを目的とする。
【課題を解決するための手段】
【０００５】
以下の構成はそれぞれ上記の課題を解決するための手段である。
【０００６】
＜構成１＞
定量測定すべき強張りの程度を段階付けして表現するためのものであって、上記段階数に相当する柱状体により構成されており、曲がっていない柱状体と、少し曲がりのある柱状体と、さらに順番に曲がりが大きくなっている複数の柱状体とを含み、曲がっていない柱状体が強張りの程度が最も強いことを示すもので、最も曲がりが大きい柱状体は強張りの程度が最も低いことを示すもので、それ以外の柱状体は強張りの程度がその間にあることを示すものであることを特徴とする強張りの程度の定量測定具。
【０００７】
＜構成２＞
ブロック群を構成する全ての柱状体は、柔軟なゴムまたはプラスチックにより構成されたことを特徴とする構成１に記載の強張りの程度の定量測定具。
【０００８】
＜構成３＞
全ての柱状体が強張りを表示するための段階順に配列されて、連結体により一体化固定されていることを特徴とする構成１または２に記載の強張りの程度の定量測定具。
【考案の効果】
【０００９】
＜構成１の効果＞
柱状体の曲がりの大きさを比較して、自身の手や足等の強張りの程度と比較する。手や足の曲がりやすさと柱状体の曲がりの程度が、その外観から感覚的によく対応する。従って、詳しく説明をしなくても、いずれかの柱状体を選択して、これが自身の強張りの程度であると伝えることができる。
＜構成２の効果＞
単に各柱状体の外観を観察していずれかを選択するだけなく、それぞれの柱状体に手を触れて、それを曲げ伸ばししながら自身の強張りの程度を考えることができる。そのために、各柱状体は柔軟な素材であることが好ましい。
＜構成３の効果＞
複数の柱状体は、ばらばらに分離されていても良いが、連結体により段階順に並べて一体化固定されていると、比較し易いし扱い易い。柱状体なので、連結体上に並べて固定されていてもそれぞれに触れやすく、強張りの程度の選択も容易である。
【図面の簡単な説明】
【００１０】
【図１】実施例１の定量測定具１０の斜視図である。
【図２】実施例２の定量測定具１０の斜視図である。
【図３】（ａ）〜（ｃ）は、柱状体の変形例を示す斜視図である。
【図４】連結体の変形例を示す斜視図である。
【考案を実施するための形態】
【００１１】
以下、本考案の実施の形態を実施例ごとに詳細に説明する。
【実施例１】
【００１２】
図１は実施例１の定量測定具１０の斜視図である。
例えば、リューマチの初期症状として、朝起きてすぐに、手をにぎることが困難な状態が生じることがある。手が強張っている状態である。この強張りは、日によって違う場合もある。患者の強張りの状態を簡単に数値的に把握できれば、治療計画を立てやすい。
【００１３】
図の定量測定具１０は実際にこうした患者に使用して、ある程度満足すべき結果が得られたものである。即ち、この定量測定具１０は、定量測定すべき強張りの程度を段階付けして表現するためのものである。連結体２０上には、段階数に相当する柱状体２１〜２７を固定した。この例では段階数を７段階とした。定量測定具１０は、軟質ポリエチレンを一体成型して製造した。
【００１４】
図の連結体２０の最も上の端には曲がっていない柱状体２１を配置した。柱状体２１の隣には、少し曲がりのある柱状体２２を配置した。そして、さらに順番に曲がりが大きくなっている５個の柱状体２３，２４，２５，２６，２７を配置した。
【００１５】
この場合に、曲がっていない柱状体２１が、強張りの程度が最も強いことを示すものである。また、最も曲がりが大きい柱状体２７は強張りの程度が最も低いことを示すものである。例えば、指がここまでよく曲がるということを示す。それ以外の柱状体２２〜２６は、強張りの程度がその間にあることを示すものである。
【００１６】
患者は、各柱状体２１〜２７の曲がりの大きさを比較して、自身の手や足等の強張りの程度と比較する。実際に自分の体の強張りのある箇所に触れながら、その部分の曲がりやすさと柱状体の曲がりの程度を見比べる。柱状体２１〜２７の外観を一見して、感覚的に強張りの程度と対応させることが比較的容易である。
【００１７】
患者は医師に対して、いずれかの柱状体を選択して、これが自分の強張りの程度であると伝えることができる。例えば、大人であれば、このようなツール無しに強張りの状態に応じて数値を示すように要求することもできる。しかしながら、実際には患者は自身の状態がどの数字に当てはまるの判断し難い。
【００１８】
これに対して、上記の実施例の定量測定具１０によれば、柱状体の曲がりの大きさを見て判断するので、かなり実情に近い応答を期待できる。ある患者と別の患者との相対的な比較も十分に可能である。しかも、この定量測定具１０は、自分の気持ちを言葉で説明することが困難な幼児等にも適用できる。また、比較的高い信頼度でその強張りの状態を伝えさせることができる。
【実施例２】
【００１９】
図２は、実施例２の定量測定具１０の斜視図である。
この実施例では、７個の柱状体２１〜２７をばらばらに独立させた。それぞれに手を触れてみて曲がりの程度を比較して、自身の強張りの程度を示すことができる。なお、全ての柱状体２１〜２７は、柔軟な素材、例えば、ゴムまたはプラスチックにより構成することが好ましい。それぞれの柱状体に手を触れて、それを曲げ伸ばししながら自身の強張りの程度を考えることができる。もちろん、各柱状体は、塑性変形しないように、元の状態にもどるようにしておくものとする。
【実施例３】
【００２０】
図３の（ａ）〜（ｃ）は、柱状体の変形例を示す斜視図である。
（ａ）に示した柱状体３０は、板を湾曲させたものである。これを例えば、７個用意する。その曲がりの程度は、実施例１と同様にすればよい。このように、全体を弧状に湾曲させたものは、関節の数に関わりなく使用できる。例えば、膝や肘の１つの関節の強張りの表現に使用できる。また、関節が複数ある指の強張りの表現にも使用できる。
【００２１】
（ｂ）に示した柱状体３２は、板の関節に相当する部分を折り曲げたものである。従ってこれは２個の関節について、強張りを表現できるようになっている。（ｃ）に示した柱状体３４は、関節部分を球状にしたもので、玩具として興味を引くように作られている。もちろん、各関節はその曲がりが変化しないように固定されており、例えば、図２の実施例のように、７種類の曲がりのものを含めて、定量測定具１０を構成する。測定する段階数は、３〜１０段階くらいの間で、任意に設定するとよい。
【実施例４】
【００２２】
図４は、連結体の変形例を示す斜視図である。
この図の場合には、７個の柱状体２１〜２７は、紐状の連結体４０により連結されている。この場合でも、全ての柱状体２１〜２７が、強張りを表示するための段階順に配列されている。柱状体２１〜２７の曲がりの程度を比較する場合に、このように順番に配列されていたほうが、いずれかを選択し易いということが実験によりわかった。外観を観察しながら手で触れてみて比較をするというこのツール特有の性質のためと考えられる。
【００２３】
上記の連結体は、板状のもの、紐状のもののほか、任意の形状のもので構わない。柱状体の断面は円でも多角形でも構わない。手や足の関節を想像できるような形状であればよい。
以上説明したとおり、この定量測定具１０は、大人でも子供でも、強張りの程度を定量的に示すために有効に機能する。また、言葉や数値で表現するよりも強張りの状態を的確に伝えることができる。
【符号の説明】
【００２４】
１０  定量測定具
２０  連結体
２１  柱状体
２２  柱状体
２３  柱状体
２４  柱状体
２５  柱状体
２６  柱状体
２７  柱状体
３０  柱状体
３２  柱状体
３４  柱状体
４０  連結体
【図１】
0003189984.tif 000003
【図２】
0003189984.tif 000004
【図３】
0003189984.tif 000005
【図４】
0003189984.tif 000006